(57)【要約】      （修正有）【課題】ハウジングの安着スロットに接地カバーを装着することによって、接地性能を強化させる。【解決手段】フレキシブルケーブルが安着固定される安着スロット２２が形成され、印刷回路基板上に固定されるハウジング２と、前記ハウジングの後方からハウジング内に挿入固定される多数のターミナル４と、前記ハウジングの前方に挿入されるフレキシブルケーブルをハウジングに固定させるアクチュエータ６とから構成されるフレキシブルケーブルコネクタにおいて、前記印刷回路基板に形成された接地端子に接触する第１支持手段９１が両側面に形成され、上部には、フレキシブルケーブル１００の端子に接触し接地を行う第２支持手段９２が形成され、前記安着スロット２２の上部に結合される接地カバー９を備える。【選択図】図３
2008235272.tif 000002
【特許請求の範囲】
【請求項１】
フレキシブルケーブルが挿入される安着スロットと、ターミナルが設置されるターミナル挿入部が形成されており、印刷回路基板上に固定されるハウジングと、
前記ハウジングのターミナル挿入部に挿入される多数個のターミナルと、
前記安着スロットの上部に結合され、且つ蓋体と、前記印刷回路基板に形成された接地端子に接触するために前記蓋体の両側面に形成される第１支持手段と、フレキシブルケーブルの端子に接触するために蓋体に形成される第２支持手段とを含む接地カバーと、を備えることを特徴とするフレキシブルケーブルコネクタ。
【請求項２】
前記接地カバーの第１支持手段は、前記蓋体の両端部から下方に折り曲げ形成されることを特徴とする請求項１に記載のフレキシブルケーブルコネクタ。
【請求項３】
前記接地カバーの第１支持手段は、前記ハウジングの外側面に密着結合されることを特徴とする請求項２に記載のフレキシブルケーブルコネクタ。
【請求項４】
前記接地カバーの第１支持手段は、前記ハウジングの先端に形成された溝に密着されるように嵌挿されることを特徴とする請求項２に記載のフレキシブルケーブルコネクタ。
【請求項５】
前記第２支持手段は、前記接地カバーの蓋体を切開して形成され、下方に“Ｌ”字形状に折り曲げられることを特徴とする請求項１乃至４のいずれかに記載のフレキシブルケーブルコネクタ。
【請求項６】
前記第２支持手段は、２個以上並設されることを特徴とする請求項５に記載のフレキシブルケーブルコネクタ。
【請求項７】
前記ハウジングには、フレキシブルケーブルの端部を加圧するアクチュエータが回転自在に結合されていることを特徴とする請求項５に記載のフレキシブルケーブルコネクタ。
【請求項８】
前記安着スロットは、前面に形成されており、前記ターミナル挿入部は、後方に形成されていることを特徴とする請求項７に記載のフレキシブルケーブルコネクタ。
【請求項９】
前記接地カバーの前端には、下方に折り曲げられる第３支持手段が形成されていることを特徴とする請求項８に記載のフレキシブルケーブルコネクタ。
【請求項１０】
前記第３支持手段は、２段の曲げ形で曲げられて形成されることを特徴とする請求項９に記載のフレキシブルケーブルコネクタ。
【発明の詳細な説明】
【技術分野】
【０００１】
本発明は、フレキシブルケーブルコネクタに関し、より詳細には、印刷回路基板（ＰＣＢ）との結合を堅固にすることができ、接地性能を向上させることができるフレキシブルケーブルコネクタに関する。
【背景技術】
【０００２】
フレキシブルケーブルは、ＦＦＣタイプ（Flexible Flat Cable）とＦＰＣタイプ（Flexible Printed Circuit）とに分けられる比較的薄いフィルム型のケーブルである。
【０００３】
一般に、前記フレキシブルケーブルを印刷回路基板に電気的に接続するために、前記印刷回路基板にフレキシブルケーブルコネクタが装着される。
【０００４】
以下、このようなフレキシブルケーブルコネクタの一例を図１ａ、図１ｂ及び図２を参照して簡単に記述する。
【０００５】
図示のように、従来のフレキシブルケーブルコネクタ７０は、印刷回路基板上に固定され、合成樹脂材で成形されたハウジング１０と、ハウジング１０の後方から挿入される多数のターミナル２０と、ハウジング１０の前方に挿入されるフレキシブルケーブルをハウジング１０に固定させるアクチュエータ３０と、アクチュエータ３０を上昇させてターミナル２０のピボット溝２０ａに挿入する作動片４０とを備えてなる。
【０００６】
この時、ハウジング１０の前端部には、ＦＰＣ／ＦＦＣが安着固定される安着スロット１１が形成され、ハウジング１０の後端部内には、ターミナル２０が挿入固定されるターミナル挿入部１２が形成され、ハウジング１０の両側には、固定アーム１３がそれぞれ形成され、固定アーム１３の内側には、アクチュエータ３０の両端部が固定される固定溝１３ａが形成される。
【０００７】
また、アクチュエータ３０の後端部の両側には、前記固定溝１３ａに回転自在に固定される固定突起３１が突出形成され、アクチュエータ３０の前端部の両側には、アクチュエータ３０を閉鎖位置に位置させる時、ハウジング１０の前面部の両側に係止され、アクチュエータ３０が回転しないようにロックするロック突部３２が突出形成される。
【０００８】
一方、アクチュエータ３０の後端部には、組立時にターミナル２０のピボット溝２０ａに挿入される回転軸３３が形成される。
【０００９】
前述したフレキシブルケーブルコネクタでは、アクチュエータ３０を垂直に立設した状態でその後端部を固定アーム１３の間に挿入し、固定突起３１をハウジング１０の固定溝１３ａにそれぞれ挿入した後、多数のターミナル２０をターミナル挿入部１２にそれぞれ挿入し、作動片４０をハウジング１０の両側にそれぞれ挿入し、アクチュエータ３０の回転軸３３をターミナル２０のピボット溝２０ａに挿入することによって、組立が完了する。
【００１０】
このように組立が完了したコネクタ上にフレキシブルケーブルを連結するためには、先ず、アクチュエータ３０を回転させて開放位置に位置させ、フレキシブルケーブルの端部をハウジング１０の安着スロット１１に安着させた後、最後にアクチュエータ３０を反対方向に回転させて閉鎖位置に位置させる。
【００１１】
しかし、前述したように構成された従来のフレキシブルケーブルコネクタでは、フレキシブルケーブルが前記コネクタのハウジングに接続される時、アクチュエータ３０の押圧力によってフレキシブルケーブルの端部が変形される場合、接地用ターミナルとの接触が不安定になり、このため、接地が正確になされない問題点が発生した。
【００１２】
また、従来のフレキシブルケーブルコネクタは、半田付けなどによってターミナル２０部分だけで印刷回路基板に実装される組立構造を有するので、コネクタと印刷回路基板との間の組立強度が非常に低いため、周辺の振動や外力によって破損される場合があった。これを避けるために、印刷回路基板上に別途の構造を加える場合、組立構造や組立作業が複雑になることがある。
【発明の開示】
【発明が解決しようとする課題】
【００１３】
本発明は、前述したような従来技術の問題点を解消するためになされたもので、その目的は、ハウジングの安着スロットに接地カバーを装着することによって、接地性能を強化させることができ、印刷回路基板への実装時に、組立強度を高めることができるので、さらに性能が向上することができるフレキシブルケーブルコネクタを提供することにある。
【課題を解決するための手段】
【００１４】
上記目的を達成するために、本発明の一態様に係るレキシブルケーブルコネクタは、フレキシブルケーブルが挿入される安着スロットと、ターミナルが設置されるターミナル挿入部が形成されており、印刷回路基板上に固定されるハウジングと、前記ハウジングのターミナル挿入部に挿入される多数個のターミナルと、前記安着スロットの上部に結合され、且つ蓋体と、前記印刷回路基板に形成された接地端子に接触するために前記蓋体の両側面に形成される第１支持手段と、フレキシブルケーブルの端子に接触するために蓋体に形成される第２支持手段とを含む接地カバーと、を備えることを特徴とする。
【００１５】
ここで、前記接地カバーの第１支持手段は、前記蓋体の両端部から下方に折り曲げ形成されることを特徴とする。
【００１６】
また、前記接地カバーの第１支持手段は、前記ハウジングの外側面に密着結合されることを特徴とする。
【００１７】
しかし、前記接地カバーの第１支持手段は、前記ハウジングの先端に形成された溝に密着されるように嵌挿されてもよい。
【００１８】
また、前記第２支持手段は、前記接地カバーの蓋体を切開して形成され、下方に“Ｌ”字形状に折り曲げられることを特徴とする。
【００１９】
また、前記第２支持手段は、２個以上並設されることを特徴とする。
【００２０】
また、前記ハウジングには、フレキシブルケーブルの端部を加圧するアクチュエータが回転自在に結合されていることを特徴とする。
【００２１】
また、前記安着スロットは、前面に形成されており、前記ターミナル挿入部は、後方に形成されていることを特徴とする。
【００２２】
一方、前記接地カバーの前端には、下方に折り曲げられる第３支持手段が形成されていることを特徴とする。
【００２３】
この場合、前記第３支持手段は、２段の曲げ形で曲げられて形成されることを特徴とする。
【発明の効果】
【００２４】
以上説明したように、本発明によれば、接地カバーによって接地性能を増加させることができ、フレキシブルケーブルの結束状態及び接続性能を堅固にすることができる。
【００２５】
また、接地カバーの第１支持手段を介してコネクタを印刷回路基板上に一層堅固に付着することができる。
【発明を実施するための最良の形態】
【００２６】
以下、本発明の好ましい実施例を添付の図面に基づいて詳細に説明する。
図３は、本発明によるフレキシブルケーブルコネクタを示す斜視図であり、図４は、本発明によるフレキシブルケーブルコネクタを示す分解斜視図である。
【００２７】
図３及び図４に示されるように、本発明によるフレキシブルケーブルコネクタＡは、フレキシブルケーブルが挿入される安着スロット２２が前面に形成され、前記安着スロット２２の後方には、ターミナル挿入部２４が形成され、印刷回路基板（不図示）上に固定されるハウジング２と、前記ハウジング２の後方で挿入され、前記ターミナル挿入部２４に挿入される多数個のターミナル４と、フレキシブルケーブル１００の端部を加圧して固定させるアクチュエータ６と、前記ハウジング２に設置され、アクチュエータ６の離脱を防止するように支持する固定具８と、前記ハウジング２の安着スロット２２に結合され、印刷回路基板に接触し、フレキシブルケーブル１００の端子に接触する接地カバー９とを備えて構成される。
【００２８】
より詳細に説明すれば、ハウジング２は、合成樹脂材を成形して長方形からなり、前面には、フレキシブルケーブル１００が挿入される安着スロット２２が形成され、前記安着スロット２２の後方には、後述するターミナル４の上部側リブ４２が嵌挿されるように多数個の溝２４０からなるターミナル挿入部２４が形成される。
【００２９】
安着スロット２２は、フレキシブルケーブル１００の端部が挿入され得るようにハウジング２の前面に凹設され、その上部が開放されて形成される。
【００３０】
フレキシブルケーブル１００は、多数個の導線を連続配列した後、合成樹脂を溶融（melting）して、板状に成形することによって、屈伸が容易にしたもので、導線の端部は、一定区間の被覆が除去され、電気的な接触が可能にした。
【００３１】
ターミナル挿入部２４の後方には、前述した溝２４０と一致し、後述するターミナル４の下部側リブ４４が挿入される長溝２６４からなるターミナル嵌入部２６が形成される。
【００３２】
ターミナル嵌入部２６は、アクチュエータ６が結合されるように上部が開放され、両側壁には、アクチュエータ６の回転軸６２が挿入されるピボット溝２６２が形成され、前記ピボット溝２６２に連通する直線形態の切開溝２６６が両側壁の上面に形成される。
【００３３】
ターミナル４は、上部側リブ４２及び下部側リブ４４が形成された略“⊃”形状の導電性金属材からなり、上部側リブ４２の長さは、下部側リブ４４に比べて相対的に長く形成されることによって、上部側リブ４２がターミナル挿入部２４の溝２４０に嵌挿され、下部側リブ４４がターミナル嵌入部２６の長溝２６４に挿入されて結合される。
【００３４】
アクチュエータ６は、ターミナル嵌入部２６に結合されるように長方形に形成され、外部両側には、前記ピボット溝２６２に挿入される回転軸６２が形成され、下面には、フレキシブルケーブル１００の端子が挿入されて支持されることができ、前記長溝２６４と同一直線上に位置するように多数個のスリット６４が形成される。
【００３５】
固定具８は、前記ターミナル嵌入部２６の切開溝２６６に嵌挿され、その先端がピボット溝２６２の上部に位置することによって、ピボット溝２６２に挿入されたアクチュエータ６の回転軸６２を支持するようになり、アクチュエータ６の離脱を防止することができるようにしたもので、その形状は、略“⊃”形状に形成された金属片材である。
【００３６】
接地カバー９は、前記ハウジング２の安着スロット２２に結合され、印刷回路基板に接触し、フレキシブルケーブル１００の端子の上部に接触する導電性金属板材であって、蓋体９０に第１支持手段９１及び第２支持手段９２が形成された構成となっている。前記蓋体９０は、平板状からなるが、曲げ形や角形で折り曲げ形成されてもよい。
【００３７】
前記蓋体９０の両端部には、前記ハウジング２の外側面に嵌挿され、印刷回路基板の接地端子（不図示）と連結される第１支持手段９１が形成され、前記蓋体９０の内部には、下方に折り曲げられ、フレキシブルケーブル１００の端子上部を支持するように第２支持手段９２が形成されている。前記第２支持手段９２は、蓋体９０の周りに形成されることもできる。
【００３８】
このために、長方形の導電性金属板材の両端部を下方に折り曲げて、弾性を有する第１支持手段９１を形成し、蓋体９０をパンチングさせて形成された第２支持手段９２を下方に“Ｌ”字形状に折り曲げて、弾性を有するようにすればよい。
【００３９】
図面で、前記第２支持手段９２は、２個で形成されているが、１個または３個以上で形成されることもできる。
【００４０】
前記第１支持手段９１は、印刷回路基板に形成された接地端子に接触し、第２支持手段９２は、フレキシブルケーブル１００の端部に接触する。
【００４１】
前記フレキシブルケーブル１００の被覆が除去された端部は、その先端がターミナル４に接触し、その中間部は、前述した第２支持手段９２に接触することによって、電気的に導通することができるようになる。
【００４２】
また、接地カバー９は、弾性を有する第１支持手段９１がハウジング２の外側面に弾力的に嵌挿される。
【００４３】
図５は、本発明によるフレキシブルケーブルコネクタの結合された状態を示す一部切欠斜視図である。
図示のように、接地カバー９をハウジング２の安着スロット２２の上部に嵌挿して結合させ、且つ第１支持手段９１をハウジング２の両側面に密着させて嵌挿する。このように構成すれば、接地カバー９とハウジング２との結合が非常に堅固になる。
【００４４】
このような組立過程後、前記コネクタを印刷回路基板に実装する時は、第１支持手段９１の下端を印刷回路基板に設けられた接地端子に結合する。この場合、半田付けや溶接などの一般的な結合方法が採択される。
【００４５】
その後、ハウジング２のターミナル嵌入部２６及びターミナル挿入部２４に多数個のターミナル４を嵌挿し、ターミナル嵌入部２６に設けられたピボット溝２６２に回転軸６２を挿入させてアクチュエータ６を結合する。
【００４６】
その後、アクチュエータ６の回転軸６２を支持するようにハウジング２のターミナル嵌入部２６の両側に形成された切開溝２６６に固定具８を結合させることによって、本発明によるフレキシブルケーブルコネクタＡの組立が完了する。
【００４７】
図６ａ及び図６ｂは、本発明によるフレキシブルケーブルコネクタの使用例を示す断面図である。
図６ａに示されるように、アクチュエータ６を上方に回転させて挿入空間を確保した後、フレキシブルケーブル１００の端部をハウジング２の安着スロット２２に挿入すれば、その先端がスリット６４を通過してターミナル４の下部側リブ４４に接触するまで挿入される。
【００４８】
このようにフレキシブルケーブル１００を挿入すれば、接地カバー９の第２支持手段９２がフレキシブルケーブル１００の端部に接触することによって接地されることができる。
【００４９】
その後、図６ｂに示されるように、アクチュエータ６を下方に回転させれば、フレキシブルケーブル１００の端部が加圧されて固定されることができる。
【００５０】
一方、図７乃至図１０には、接地カバーを前述した実施例と異なって構成したフレキシブルケーブルコネクタが示されている。全体的な構造は、前述した実施例と同様なので、同一の構成に対しては同一の構成符号を付与し、重複された説明は省略する。
【００５１】
図示のように、接地カバー９の上部の前端には、下方に折り曲げられる第３支持手段９５が形成されている。
【００５２】
図面では、コネクタの幅方向に６個が等間隔で形成された構成となっているが、その数において大きく限定されるわけではない。
【００５３】
また、前記第３支持手段９５は、２段の曲げ形で曲げられて形成されているので、ケーブルが挿入される初期に案内が容易になされることができる。
【００５４】
前記第３支持手段９５及び第２支持手段９２と同様に、接地のためのもので、接地機能が一層確実になされるようにする効果がある。
【００５５】
本実施例に係る接地カバー９では、第３支持手段９５が形成されているので、前記第２支持手段９２は、２個だけ形成されもよい。しかし、その数において大きく限定されるわけではない。
【００５６】
また、本実施例では、前記接地カバー９の第１支持手段９１がハウジング２の先端に形成された溝２８に密着されるように嵌挿されている。
【００５７】
図面では、前記第１支持手段９１が溝２８に嵌挿された後、ハウジング２の下端に当接するように折り曲げられ、上下方向にハウジング２に対して接地カバー９が離脱することを防止することができるようになっている。
【００５８】
勿論、前述した実施例と同様に、ハウジング２の外側面に密着されても構わない。
【００５９】
たとえ本発明が上記言及された好ましい実施例と関連して説明されたが、本発明の特許請求範囲から脱しない範囲内で当業者にとって自明な多様な修正及び変形が可能である。
【図面の簡単な説明】
【００６０】
【図１ａ】従来のフレキシブルケーブルコネクタの一例を示す斜視図である。
【図１ｂ】図１ａの部分組立斜視図である。
【図２】図１の分解斜視図である。
【図３】本発明の一実施例に係るフレキシブルケーブルコネクタを示す斜視図である。
【図４】図３の分解斜視図である。
【図５】図３の一部切欠斜視図である。
【図６ａ】図３の使用例を示す断面図である。
【図６ｂ】図３の使用例を示す断面図である。
【図７】本発明の他の実施例に係るフレキシブルケーブルコネクタを示す斜視図である。
【図８】図７の一部切欠斜視図である。
【図９】図７の断面図である。
【図１０】図７の接地カバーの構造を示す底面斜視図である。
【符号の説明】
【００６１】
２  ハウジング
４  ターミナル
６  アクチュエータ
８  固定具
９  接地カバー
２２  安着スロット
２４  ターミナル挿入部
２６  ターミナル嵌入部
４２  上部側リブ
４４  下部側リブ
６２  回転軸
９１  第１支持手段
９２  第２支持手段
９５  第３支持手段
【図１ａ】
2008235272.tif 000003
【図１ｂ】
2008235272.tif 000004
【図２】
2008235272.tif 000005
【図３】
2008235272.tif 000006
【図４】
2008235272.tif 000007
【図５】
2008235272.tif 000008
【図６ａ】
2008235272.tif 000009
【図６ｂ】
2008235272.tif 000010
【図７】
2008235272.tif 000011
【図８】
2008235272.tif 000012
【図９】
2008235272.tif 000013
【図１０】
2008235272.tif 000014